(57)【要約】  【課題】  コスト高を招来することなく、夜間において前方を走行し前方から接近してくる自転車を視覚で確実に認識できるようにした自転車用反射器材を提供する。  【解決手段】  自転車の前輪１１又は後輪１２の隣接する２本のスポーク１３の間に掛け渡されるベース板２２と、該ベース板に交叉するように一体的に形成され、上記一対のスポークに対する上記ベース板の取付け位置において自転車フレームのブレード又はシートステーまでの間の距離未満の高さを有し、裏面に複数の反射突起が形成された表側反射板２３と、該表側反射板と同一の高さを有し、裏面が上記表側反射板の裏面と重なるとともに下側縁が上記ベース板に接するように上記表側反射板に固着され、上記裏面に複数の反射突起が形成された裏側反射板２４と、を備える。
2014208515.tif 000002
【特許請求の範囲】
【請求項１】
自転車の前輪又は後輪に装備され、自動車の前照灯の光を受けて反射する自転車用反射器材において、
自転車の前輪（１１）又は後輪（１２）の隣接する２本のスポーク（１３）の間に掛け渡されるベース板（２２）と、
該ベース板（２２）に交叉するように一体的に形成され、上記一対のスポーク（１３）に対する上記ベース板（２２）の取付け位置において自転車フレームのブレード又はシートステーまでの間の距離未満の高さを有し、裏面に複数の反射突起が形成された表側反射板（２３）と、
該表側反射板（２３）と同一の高さを有し、裏面が上記表側反射板（２３）の裏面と重なるとともに下側縁が上記ベース板（２２）に接するように上記表側反射板（２３）に固着され、上記裏面に複数の反射突起が形成された裏側反射板（２４）と、
を備えたことを特徴とする自転車用反射器材。
【請求項２】
上記ベース板（２２）、表側反射板（２３）及び裏側反射板（２４）を組立てた２つの組立て体（２１）のベース板（２２）が裏面側を重ねて相互に固着され、前輪（１１）又は後輪（１２）の両側方に表裏の反射板（２３、２４）が突設されるようになっている請求項１記載の自転車用反射器材。
【請求項３】
上記ベース板（２２）、表側反射板（２３）及び裏側反射板（２４）を組立てた組立て体（２１）のベース板（２２）に、ベース板（２２）が重ねて相互に固着され、前輪（１１）又は後輪（１２）の一側方に表裏の反射板（２３、２４）が突設されるようになっている請求項１記載の自転車用反射器材。
【請求項４】
上記ベース板（２２）は相互に固着された表側反射板（２３）及び裏側反射板（２４）の厚みと等しい高さに形成されている請求項３記載の自転車用反射器材。
【請求項５】
上記２枚のベース板（２２）の間にスポーク（１３）が嵌め込まれることによって、自転車に装備されるようになっている請求項２ないし４のいずれかに記載の自転車用反射器材。
【請求項６】
上記ベース板（２２）の裏面に複数の反射突起が形成されている請求項１ないし５のいずれかに記載の自転車用反射器材。
【請求項７】
上記表裏の反射板（２３、２４）はベース板（２２）に垂直な面に対して５°だけ傾斜され、上記ベース板（２２）が鉛直面に対して傾斜したスポーク（１３）に取付けられたときに上記表裏の反射板（２３、２４）は光を自転車の進行方向又は進行方向に対して後方に反射するようになっている請求項１記載の自転車用反射器材。
【請求項８】
上記表裏の反射板（２３、２４）の材料に蓄光材料が含有され、あるいは表裏の反射板（２３、２４）の表面又は裏面に蓄光材料が塗布されて、蓄光性が付与されている請求項１ないし４のいずれかに記載の自転車用反射器材。
【発明の詳細な説明】
【技術分野】
【０００１】
本発明は自転車用反射器材に関し、特にコスト高を招来することなく、夜間において前方を走行しあるいは前方から接近してくる自転車を視覚で確実に認識できるようにした反射器材に関する。
【背景技術】
【０００２】
自転車は、道路交通法上、「ペダル又はハンド・クランクを用い、人の力により運転する二輪以上の車であって、身体障害者用の車いす、歩行補助車等及び小児用の車以外のもの（人の力を補うため原動機を用いるものであって、内閣府令で定める基準に該当するものを含む。）をいう」と定義され（第２条第１項第１１号の２）、通常のペダル式の二輪自転車以外に、手こぎ式自転車、四輪自転車、三輪自転車が含まれる。【０００３】
また、「自転車の運転者は、夜間（第５２条第１項後段の場合を含む。）、内閣府令で定める基準に適合する反射器材を備えていない自転車を運転してはならない。ただし、第５２条第１項前段の規定により尾燈をつけている場合は、この限りでない。」とされている（道路交通法第６３条の９第２項）。【０００４】
多くの自転車では後輪の泥よけに尾燈が装備され、又ペダルに反射器材が装備されているが、自動車の運転者には夜間走行中の自転車は非常に見え難く、自転車との衝突事故が懸念される。【０００５】
そこで、タイヤの２本のスポークの間に反射板を掛け渡し、反射板をタイヤの回転面に平行に回転させ、側方からの光を側方に向けて反射することによって、夜間において道路横断中の自転車の視認性を向上させることが行われているが、自転車が自動車の前方を走行している場合、自動車の前照灯の光が泥よけによって遮られてタイヤの反射板に届かず、反射光によって自転車を認識することは難しい。【０００６】
これに対し、四方に光を反射し得る構造の反射板の両側部に嵌込みスリットを形成し、この嵌込みスリットにタイヤのスポークのリム側基部を嵌め込んで反射板をタイヤのリムに取付け、側方、前方、後方からの光を四方に反射するようにした反射器材が提案されている（特許文献１）。【０００７】
また、ベース板をタイヤのスポークに取付けてタイヤ回転面に平行に回転させ、このベース板に第１の反射板をベース板に対して４５°〜９０°の範囲内の角度に起立して固着し、第１の反射板の両面又は片面に反射面を設け、さらに必要に応じて第１の反射板の両側部に第２の反射板を第１の反射板に対して１１０°〜１５０°の範囲内の角度に設け、第１、第２の反射板を後輪の泥よけから側方に突出させ、前方や後方からの光を前方や後方に反射するようにした反射器材が提案されている（特許文献２）。【０００８】
さらに、スリットを有する筒状の取付け部材に反射板を一体的に形成し、反射板の両面又は片面に反射面を形成し、筒状部をタイヤのハブに嵌め込んで反射板をハブ廻りに回転させて、側方、前方、後方からの光を側方、前方、後方に反射するようにした反射器材が提案されている（特許文献３）。
【先行技術文献】
【特許文献】
【０００９】
【特許文献１】実用新案登録第３１１９８４５号公報
【特許文献２】特開２００５−３２４６８７号公報
【特許文献３】特開２００４−１４８９６２号公報
【発明の開示】
【発明が解決しようとする課題】
【００１０】
しかし、特許文献１記載の反射器材では反射板が泥よけに隠れてしまって後方からの光が反射板にほとんど届かない一方、側方からの光は受光面積が少なくて反射光が弱く、自動車の運転者が反射光を視覚で認識することは難しい。【００１１】
また、特許文献２記載の反射器材では前方や後方に十分に光を反射することができるものの、その構造上、ベース板と反射板とを別々に製作し、補強リブなどによって相互に強固に固着する必要があり、製造工程が複雑となってコスト高を招来する。【００１２】
さらに、特許文献３記載の反射器材では後輪のハブに設ける場合には側方からの光は反射板に届くものの、受光面積が少なくて反射光が弱く、後方からの光は泥よけに遮られて反射板にほとんど届かず、自動車の運転者が夜間走行中の自転車の反射光を視覚で認識することは難しい。【００１３】
特に、特許文献１、３の反射器材では夜間において前方から無灯火で走行してくる自転車については間近になるまでほとんど分からず、無灯火の自転車と歩行者、無灯火の自転車と自動車、無灯火の自転車同士の衝突事故が懸念される。【００１４】
本発明はかかる問題点に鑑み、コスト高を招来することなく、夜間において前方や後方から走行してくる自転車を無灯火であっても視覚で確実に認識できるようにした自転車用反射器材を提供することを課題とする。
【課題を解決するための手段】
【００１５】
そこで、本発明に係る自転車用反射器材は、自転車の前輪又は後輪に装備され、自動車の前照灯の光を受けて反射する自転車用反射器材において、自転車の前輪又は後輪の隣接する２本のスポークの間に掛け渡されるベース板と、該ベース板に交叉するように一体的に形成され、上記一対のスポークに対する上記ベース板の取付け位置において自転車フレームのブレード又はシートステーまでの間の距離未満の高さを有し、裏面に複数の反射突起が形成された表側反射板と、該表側反射板と同一の高さを有し、裏面が上記表側反射板の裏面と重なるとともに下側縁が上記ベース板に接するように上記表側反射板に固着され、上記裏面に複数の反射突起が形成された裏側反射板と、を備えたことを特徴とする。【００１６】
本発明の特徴の１つはスポークにベース板を取付け、このベース板に反射板を交叉するように形成するようにした点にある。【００１７】
これにより、反射板は自転車フレームのブレード又はシートステーまでの高さであるが、泥よけよりも側方に突出しているので、自動車の前方を走行し又は前方から接近してくる自転車に向けて、自動車の前照灯から光が発射されると、この光は自転車の泥よけに遮られることなく反射板に届いて、回転する反射板から前方又は後方に反射される。【００１８】
その結果、自動車の運転者は離れた場所の自転車であっても、自分の視覚によって間欠的に光る自転車の反射光を確実に認識でき、特に夜間において無灯火で前方から近づいてくる自転車に対しては反射光によってその存在を確実に認識できるので、衝突事故のおそれを確実に少なくできる。【００１９】
本発明の第２の特徴は、表側反射板をベース板に交叉するように一体的に形成し、この表側反射板に裏側反射板を重ねて固着するようにした点にある。【００２０】
これにより、表側反射板はベース板及び裏側反射板によって補強され、裏側反射板はベース板及び表側反射板によって補強されるので、表裏の反射板はベース板に強固に固着され、衝撃が加わっても簡単に壊れることはない。【００２１】
また、ベース板と表側反射板とは一体構造をなし、裏側反射板はこれらと別体ではあるが、表側反射板及び裏側反射板の裏面に複数の反射突起を形成すればよいので、いずれも型成形できる形状であり、しかも表裏の反射板が相互に補強しあうので、特許文献２記載の反射器材のように、別々に製作して補強リブなどによって強固に固着する必要がなく、製造が簡単で、コスト高を招来することがない。【００２２】
また、ベース板には反射面を形成せず、タイヤ側面用の反射板を別途スポークに取付けることもできるが、反射面を形成すると、夜間において道路を横断中の自転車をベース板の反射光から確実に自転車を認識でき、衝突事故を予防できる。【００２３】
さらに、ベース板と表裏の反射板の組立て体を製作し、２つの組立て体のベース板裏面を相互に重ね合わせて固着するようにすると、自転車の左右に反射板がレイアウトされるので、自転車の両側方から反射光が発せられ、夜間走行中の安全性をより向上することができる。【００２４】
しかも、２つの組立て体を相互に固着するようにすると、２つの構造体のベース板の間にタイヤのスポークを嵌め込む取付けスペースを形成することができ、これによって反射器材をスポークに簡単に取付けることができる。また、２つの組立て体のうち、一方には表裏の反射板を設けるが、下方はベース板のみとしてもよい。【００２５】
さらに、反射板の材料に一定量の蓄光材料を含有させ、あるいは反射板の表面や裏面に蓄光材料を塗布するようにすると、前方や後方から走行してきた自転車が無灯火の自転車であっても、反射板がピカピカと間欠的に光るので、自転車の存在を確実に認識でき、無灯火の自転車同士の衝突事故や無灯火の自転車と歩行者の衝突事故を確実に軽減できる。また、ベース板の材料に蓄光材料を含有し、あるいはベース板の表面又は裏面に蓄光材料を塗布して、側方に対する蓄光性を付与するようにしてもよい。
【図面の簡単な説明】
【００２６】
【図１】本発明に係る自転車用反射器材の好ましい実施形態を装備した自転車を示す概略側面図である。
【図２】上記実施形態を示す平面図である。
【図３】上記実施形態を示す正面図である。
【図４】上記実施形態を示す背面図である。
【図５】上記実施形態を示す側面図である。
【図６】上記実施形態を示す分解斜視図である。
【図７】上記実施形態における成形型の１例を示す図である。
【図８】第２の実施形態を示す図である。
【図９】第３の実施形態を示す図である。
【図１０】第４の実施形態を示す図である。
【発明を実施するための形態】
【００２７】
以下、本発明を図面に示す具体例に基づいて詳細に説明する。図１ないし図７は本発明の自転車用反射器材の好ましい実施形態を示す。図１において、自転車１０の前輪１１及び後輪１２の隣接する２本のスポーク１３には本例の自転車用反射器材２０が装備されている。
【００２８】
本例の自転車用反射器材２０は図２ないし図６に示されるように、ベース板２２、表側反射板２３及び裏側反射板２４を組立てた２つの組立て体２１から構成され、２つの組立て体２１はそのベース板２２の裏面側を重ね合わせて嵌合し、超音波接合などによって固着されている。
【００２９】
組立て体２１はベース板２２と表側反射板２３とが金型によって一体的に成形され、裏側反射板２４はベース板２１及び表側反射板２３とは別体に金型によって成形され、表側反射板２３には裏側反射板２４が裏面側を重ね合わせかつ裏側反射板２４の下端縁をベース板２２の表面に当接させて超音波接合などによって固着されている。
【００３０】
ベース板２２の表側及び裏側の反射板２３、２４の裏面には小さな角錐状又は角錐台状をなす複数の反射突起が形成されて反射面２５が構成され、又２つの組立て体２１のベース板２２の両側部の間は自転車の隣接するスポーク１３が嵌め込まれるとともに、係止突片２６によって抜け止めされるようになっている。
【００３１】
表裏の反射板２３、２４は鉛直面に対して傾斜したスポーク１３に取付けられるので、ベース板２２に垂直な面に対して例えば５°だけ傾斜させて形成され、これによって光を自転車１０の進行方向あるいは進行方向に対して真っ直ぐ後方に反射するようになっている。
【００３２】
本例の反射器材２０を製造する場合、図７に示される金型３０を用いる。この金型３０は下型３０と一対の可動上型３１、３２によって構成され、下型３０及び可動上型３１、３２の合わせ面に型面３３、３４が形成され、型面３３、３４には反射突起を形成するための凹部（図示せず）が形成されている。
【００３３】
この可動上側３１、３２を型合わせするとともに、下型３０と可動上型３１、３２を型合わせして締め付け、溶融樹脂を注型すると、溶融樹脂が型面３３、３４に射出され、図６に示される部品、つまりベース板２２に表側反射板２３を一体的に形成した部品と、裏側反射板２４が得られる。
【００３４】
次に、表側反射板２３の裏面に裏側反射板２４の裏面を重ね合わせ、裏側反射板２４の下端縁をベース板２２の表面に当接させて、超音波接合などによって固着して組立て体２１を組立て、２つの組立て体２１のベース板２２の裏面を相互に重ね合わせて嵌合し、超音波接合などによって固着すると、本例の反射器材２０が得られる。
【００３５】
この反射器材２０の２つのベース板２２の間に前輪１１又は後輪１２の隣接する２本のスポーク１３を嵌め込み、スポーク１３がベース板２２の内側面と密着する位置までスライドさせると、係止突片２６によって抜け止めされ、反射器材２０を前輪１１又は後輪１２に確実に装備することができる。
【００３６】
本例の反射器材２０を装備した自転車を夜間に走行させる場合、自転車１０の後方から自動車が走行してくると、自動車の前照灯からの光は泥よけに遮られることなく反射板２３、２４に届いて反射され、自動車の運転者はピカピカと間欠的に反射する光を目で見ることができ、前方の自転車の存在を確実に認識することができる。
【００３７】
自動車の前方を自転車が横断している場合、自動車の前照灯からの光がベース板２２に届いて反射され、自動車の運転者はクルクル回転する反射光を目で見ることができ、前方を横断中の自転車の存在を確実に認識することができる。
【００３８】
ところで、無灯火の自転車が接近してくる場合、自動車の運転者は自転車の前照灯によっては自転車の存在を確認することができず、間近になって初めて自転車が接近していることが分かることがある。
【００３９】
本例の反射器材２０の場合、反射板２３、２４が前輪１１及び後輪１２の回転に伴って前方にピカピカと間欠的に光を反射するので、自動車の運転者は離れた場所を接近してくる自転車の存在を確実に認識できる。
【００４０】
その結果、夜間における自動車と自転車の衝突事故を確実に軽減できることが期待される。
【００４１】
なお、上記の例ではベース板２２にも反射面２５を形成したが、ベース板には反射面を形成せず、タイヤ側面用の反射板を別途スポークに取付けるようにしてもよい。
【００４２】
図８は第２の実施形態、図９は第３の実施形態を示す。図において図２ないし図６と同一符号は同一又は相当部分を示す。本例では２つの組立て体２１のうち、一方はベース板２２に表側反射板２３を一体に形成し、表側反射板２３の裏面に裏側反射板２４の裏面を重ね合わせて固着して構成されているが、他方の組立て体２１は表側反射板２３及び裏側反射板２４を設けず、ベース板２２のみによって構成されており、このように反射板２３、２４はベース板２２の一側方のみに設けて軽量化を図るようにしてもよい。
【００４３】
図１０は第４の実施形態を示す。図において図８と同一符号は同一又は相当部分を示す。本例ではベース板２２は表側反射板２３及び裏側反射板２４の厚みと実質的に等しい高さに形成されており、これによって反射器材のより一層の軽量化が図られている。
【００４４】
また、上記の各例において、表裏の反射板２３、２４及び／又はベース板２２に公知の蓄光材料を含有させ、あるいは表面や裏面合わせ面に蓄光材料を塗布するようにすると、自転車の衝突事故をさらに減少させることができる。
【符号の説明】
【００４５】
１０      自転車
１１      前輪
１２      後輪
１３      スポーク
２０      反射器材
２１      組立て体
２２      ベース板
２３      表側反射板
２４      裏側反射板
２５      反射面
【図１】
2014208515.tif 000003
【図２】
2014208515.tif 000004
【図３】
2014208515.tif 000005
【図４】
2014208515.tif 000006
【図５】
2014208515.tif 000007
【図６】
2014208515.tif 000008
【図７】
2014208515.tif 000009
【図８】
2014208515.tif 000010
【図９】
2014208515.tif 000011
【図１０】
2014208515.tif 000012
【国際調査報告】
2014208515.tif 000013
2014208515.tif 000014
2014208515.tif 000015
2014208515.tif 000016